(57)【要約】【課題】複数部品で構成されるノズルをより確実に同期させて調整することが可能な液体噴出器を提供する。【解決手段】本発明の液体噴出器１００は、容器２０の内容物を圧送するポンプ２を有し容器２０の口部に装着される噴出器本体１と、ポンプ２に通じる開孔Ａ１を有し噴出器本体１の先端に固定される連結部材４と、連結部材４からの内容物を噴出させる噴出孔９ａを有し連結部材４に保持されるノズル６とを備え、ノズル６は、外周壁７ａを含む外筒部材７と、外周壁７ａの径方向内側に配置される内筒部材８とを有し、外筒部材７及び内筒部材８には、中心軸線Ｃ周りの相対回転を阻止する少なくとも一対の係合部７ｐ，８ｐが設けられており、外筒部材７における、少なくとも一対の係合部における外筒部材７側の係合部の径方向外側には、外筒部材７側の係合部の径方向外側への変位を抑制する補強部７ｒが形成されている。【選択図】図１
2019188374.tif 000002
【特許請求の範囲】
【請求項１】
容器の内容物を吸引、加圧及び圧送するポンプを有し容器の口部に装着される噴出器本体と、
前記ポンプに通じる開孔を有し前記噴出器本体の先端に固定される連結部材と、
前記連結部材からの内容物を噴出させる噴出孔を有し連結部材に保持されるノズルとを備え、
前記ノズルは、外周壁を含む外筒部材と、該外周壁の径方向内側に配置される内筒部材とを有し、
前記外筒部材及び前記内筒部材には、中心軸線周りの相対回転又は中心軸線に沿う相対移動を阻止する少なくとも一対の係合部が設けられており、
前記外筒部材における、前記少なくとも一対の係合部における前記外筒部材側の係合部の径方向外側には、前記外筒部材側の係合部が径方向外側へ変位するのを抑制する補強部が形成されていることを特徴とする液体噴出器。
【請求項２】
前記外筒部材は、前記外周壁の径方向内側に配置される内周壁を更に有し、前記外筒部材側の係合部は、前記内周壁の内周面に設けられており、
前記補強部は、前記外周壁と前記内周壁とを径方向に連結する補強リブである、請求項１に記載の液体噴出器。
【請求項３】
前記少なくとも一対の係合部は、前記外筒部材及び前記内筒部材の一方に設けられ径方向に突出するリブと、前記外筒部材及び前記内筒部材の他方に設けられ径方向に凹む凹溝である、請求項１又は２に記載の液体噴出器。
【発明の詳細な説明】
【技術分野】
【０００１】
本発明は、液体噴出器に関するものである。
【背景技術】
【０００２】
従来の液体噴出器には、容器の内容物をポンプによって吸引、及び圧送してノズルから噴出させるに際し、ノズルを回転させることにより噴射態様を変化させたり、噴射を停止させることが可能なものが提案されている（例えば、特許文献１参照）。
【先行技術文献】
【特許文献】
【０００３】
【特許文献１】特開２０１６−２０９７９２号公報
【発明の概要】
【発明が解決しようとする課題】
【０００４】
ところで、上記の液体噴出器において、例えばノズル内に調圧弁を配置して内容物を高圧噴射させようとすると、調圧弁をノズル内に配置するために、ノズルを外筒部材と内筒部材を含む複数部品で構成することが考えられる。しかし、ノズルを回転させて噴射態様を変化させたり噴射を停止させる際に、外筒部材と内筒部材との係合が外れ、両者を同期させて調整することが難しい場合があった。
【０００５】
本発明の目的とするところは、複数部品で構成されるノズルをより確実に同期させて調整することが可能な液体噴出器を提供することにある。
【課題を解決するための手段】
【０００６】
本発明の液体噴出器は、
容器の内容物を吸引、加圧及び圧送するポンプを有し容器の口部に装着される噴出器本体と、
前記ポンプに通じる開孔を有し前記噴出器本体の先端に固定される連結部材と、
前記連結部材からの内容物を噴出させる噴出孔を有し連結部材に保持されるノズルとを備え、
前記ノズルは、外周壁を含む外筒部材と、該外周壁の径方向内側に配置される内筒部材とを有し、
前記外筒部材及び前記内筒部材には、中心軸線周りの相対回転又は中心軸線に沿う相対移動を阻止する少なくとも一対の係合部が設けられており、
前記外筒部材における、前記少なくとも一対の係合部における前記外筒部材側の係合部の径方向外側には、前記外筒部材側の係合部が径方向外側へ変位するのを抑制する補強部が形成されていることを特徴とする。
【０００７】
また、本発明の液体噴出器は、上記構成において、
前記外筒部材は、前記外周壁の径方向内側に配置される内周壁を更に有し、前記外筒部材側の係合部は、前記内周壁の内周面に設けられており、
前記補強部は、前記外周壁と前記内周壁とを径方向に連結する補強リブであることが好ましい。
【０００８】
また、本発明の液体噴出器は、上記構成において、
前記少なくとも一対の係合部は、前記外筒部材及び前記内筒部材の一方に設けられ径方向に突出するリブと、前記外筒部材及び前記内筒部材の他方に設けられ径方向に凹む凹溝であることが好ましい。
【発明の効果】
【０００９】
本発明によれば、複数部品で構成されるノズルをより確実に同期させて調整することが可能な液体噴出器を提供することができる。
【図面の簡単な説明】
【００１０】
【図１】本発明の一実施形態である液体噴出器の右側面断面図である。
【図２】本発明の一実施形態である液体噴出器のノズルを構成する外筒部材の構成を示す、（ａ）右側面断面図、（ｂ）背面図である。
【図３】図２（ｂ）のＡ−Ａ断面による断面図である。
【図４】本発明の一実施形態である液体噴出器のノズルを構成する内筒部材の構成を示す、（ａ）正面図、（ｂ）右側面断面図である。
【図５】（ａ）は、外筒部材と内筒部材との係合が外れ、ノズルの組み立てができない状態を示す図であり、（ｂ）は、外筒部材と内筒部材との係合が外れ、ノズルの位置調整ができない状態を示す図である。
【発明を実施するための形態】
【００１１】
以下、図面を参照して、本発明の様々な形態を詳細に説明する。なお、本明細書、特許請求の範囲、要約書および図面では、後述するボディカバー１９の頂壁が位置する側を上方（図１における上側）とし、装着筒１０が設けられる側を下方（図１における下側）とする。また、ノズル６が設けられる側を前方（図１における左側）とし、その反対側を後方（図１における右側）とする。また、上下方向および前後方向に対して直交する方向（図１における紙面に垂直な方向）を左右方向とする。径方向外側とは、前後方向に沿うノズル６の中心軸線Ｃを通り中心軸線Ｃに垂直な直線に沿って外側に向かう方向であり、径方向内側とは、当該直線に沿って中心軸線Ｃに向かう方向を意味するものとする。
【００１２】
図１は、本発明の一実施形態に係る液体噴出器１００を示す。図中、符号１は、容器２０の内容物を吸引、加圧及び圧送するポンプ２を有し容器２０の口部２１に装着される噴出器本体である。噴出器本体１の内部には、インテークＩが嵌合保持され、このインテークＩとの間に、逆止弁Ｂが配置されている。また、インテークＩには、チューブＣＢが接続され、容器の内容物を吸入することができる。
【００１３】
ポンプ２は、トリガー３の牽曳によってポンプ動作が生起されるものである。ポンプ２は、逆止弁Ｂを介して吸引された内容物を加圧すると共に、当該内容物を噴出器本体１内に形成された内部通路Ｐに圧送する。
【００１４】
符号４は、噴出器本体１の先端に固定される連結部材である。連結部材４は、内筒部４ａ及び外筒部４ｂを有しており、当該内筒部４ａと外筒部４ｂとの間の空間は、内部通路Ｐに通じる開孔Ａ１を形成している。また、内筒部４ａの前端部の外周面には、周方向２箇所に切り欠き４ａ１が設けられている。この切り欠き４ａ１は、ノズル６を中心軸線Ｃ周りに回転調整し、内筒部材８の内筒部８ａの内周面に形成された２箇所の切り欠き８ａ１が連結部材４の切り欠き４ａ１と連通することで、開孔Ａ１から流入した内容物が切り欠き８ａ１，４ａ１及び連通孔８ｃ１を通って収納空間Ｓへ送られる。内筒部材８には、前方筒壁８ｄの内側に突出部８ｅが一体に設けられており、後述の弾性部材５ｓを案内する部材として機能する。
【００１５】
符号６は、調圧弁５からの内容物を噴出させるノズルである。ノズル６は、外筒部材７及び内筒部材８と、内容物を調圧する調圧弁５と、内容物の噴出孔９ａを形成する噴出部材９とを備えている。ノズル６は、中心軸線Ｃ周りに回転調整することで、内部通路Ｐから圧送された内容物を噴出孔９ａに導く噴出可能状態と、内容物を通過させない噴出不可状態とを切り換える機能を有する。また、ノズル６は、連結部材４からの内容物を調圧弁５により調圧し、噴出部材９に形成されたスピン溝９ｂで旋回させて噴出孔９ａから霧状に噴出させる。
【００１６】
符号５は、内筒部材８からの内容物を調圧する調圧弁である。調圧弁５は、弾性部材（例えば、リターンスプリング）５ｓを介して保持される弁体５ａと共に、内筒部材８の前方筒壁８ｄに摺動可能に保持される第１の摺動部５ｐ１と、後述する外筒部材７に摺動可能に保持される第２の摺動部５ｐ２とを有する。
【００１７】
第１の摺動部５ｐ１は、筒状をなし、図１に示すように、内筒部材８の前方筒壁８ｄの内周面に対して液密状態に保持され、第２の摺動部５ｐ２も同様に、筒状をなし、後述する外筒部材７の後方筒壁７ｄの内周面に対して液密状態に保持されている。第１の摺動部５ｐ１の外径は、同図に示すように、第２の摺動部５ｐ２の外径よりも小径をなし、これにより、調圧弁５は、収納空間Ｓ内の圧力が高まると、摺動部５ｐ１及び５ｐ２の受圧面積差に応じて、弾性部材５ｓの付勢力（弾性力）に抗した後方への摺動動作を可能にする。
【００１８】
外筒部材７は、ノズル６の外側構造を形成する部材であり、図２（ａ），（ｂ）に示すように、外周壁７ａ及び外周壁７ａの径方向内側に配置される内周壁７ｂを有している。本実施形態において、内周壁７ｂの径方向内側には、図２（ｂ）及び図３に示すように、後述する内筒部材８との間で周方向の相対位置を位置決めする為のリブ７ｐ（係合部）が形成されている。リブ７ｐは、図２（ｂ）及び図３に示すように、内周壁７ｂの内周面から径方向内側に突出すると共に中心軸線Ｃに沿って延びており、周方向２箇所に形成されている。
【００１９】
また、外筒部材７におけるリブ７ｐの径方向外側には、図２（ｂ）及び図３に示すように、外周壁７ａと内周壁７ｂとを径方向に連結する補強リブ７ｒ（補強部）が設けられている。補強リブ７ｒは、図２（ｂ）に示すように、リブ７ｐが形成されている周方向位置２箇所に加えて、リブ７ｐが形成されていない周方向位置１箇所においても、外周壁７ａと内周壁７ｂとを径方向に連結するように設けられている。このような構成を採用することによって、内周壁７ｂを外周壁７ａに対して周方向にバランスよく支持することができると共に、後述するようにリブ７ｐが径方向外側に変位して、リブ７ｐと凹溝８ｐとの係合が外れ易くなるのを効果的に抑制することができる。
【００２０】
内周壁７ｂの前端部には、外筒部材７の内側空間を二分する隔壁７ｃが設けられている。そして、隔壁７ｃの後方における内周壁７ｂの径方向内側には、上述の第２の摺動部５ｐ２を液密状態で摺動させる後方筒壁７ｄが形成されている。また、隔壁７ｃの前方における外周壁７ａの径方向内側には、後述する噴出部材９を格納する前方筒壁７ｅが設けられている。前方筒壁７ｅの径方向内側には、後述する噴出部材９との間で内容物をスピン溝９ｂに導く凸部７ｔが形成されている。
【００２１】
内筒部材８は、外筒部８ｂと、外筒部８ｂの径方向内側に形成される内筒部８ａと、内筒部８ａの前端部において内筒部材８の内側空間を二分する隔壁８ｃと、隔壁８ｃの径方向中央位置から前方に突出する突出部８ｅと、突出部８ｅの径方向外側に形成される前方筒壁８ｄとを備えている。内筒部８ａの内周面に形成された２箇所の切り欠き８ａ１の周方向位置と、連結部材４に形成された切り欠き４ａ１の周方向位置とが一致するように内筒部材８を中心軸線Ｃ周りに回転調整を行うことで、図１における開孔Ａ１と収納空間Ｓとが切り欠き４ａ１，８ａ１及び連通孔８ｃ１を通じて連通し、内容物が噴出可能な状態となる。
【００２２】
噴出部材９は、噴出孔９ａと、当該噴出孔９ａの後方に隣接してスピン溝９ｂを備えている。スピン溝９ｂは、収納空間Ｓ内に所定圧力の内容物が蓄圧されて弁体５ａが開放された際に、開口部Ａ２を通じて導入される内容物を旋回させて噴出孔９ａから霧状に噴出させる。
【００２３】
図１に示すように、内筒部材８はノズル６の外周面に露出していないため、利用者は、内筒部材８を直接操作して回転調整を行うことができない。しかし、内筒部材８の外筒部８ｂの前端部には、図４（ａ），（ｂ）に示すように、周方向２箇所において径方向内側に凹む凹溝８ｐ（係合部）が形成されている。液体噴出器１００を組み立てる際に、この内筒部材８側の凹溝８ｐに、外筒部材７側のリブ７ｐが入り込むように両部材の周方向位置を調整してから嵌合させることによって、リブ７ｐが凹溝８ｐに係合する。すなわち、リブ７ｐと凹溝８ｐは一対の係合部を構成している。これによって、外筒部材７を中心軸線Ｃ周りに回転調整を行うことで、リブ７ｐと凹溝８ｐとの係合によって内筒部材８も外筒部材７に同期して回転するので、内筒部材８の切り欠き８ａ１の周方向位置と、連結部材４の切り欠き４ａ１の周方向位置とが一致するように調整することができる。
【００２４】
特に、本実施形態では、図２（ｂ）及び図３に示すように、外筒部材７側のリブ７ｐの径方向外側に補強リブ７ｒを設けるように構成したので、リブ７ｐが径方向外側に変位するのを抑制することができる。従って、液体噴出器１００の組み立て時に、内筒部材８側の凹溝８ｐに、外筒部材７側のリブ７ｐが入り込むように両部材の周方向位置を調整する際に、図５（ａ）に示すように、外筒部材７側のリブ７ｐが径方向外側に変位した結果、リブ７ｐが凹溝８ｐに係合しないで内筒部材８の外周面に乗り上げてしまうのを抑制することができる。また、使用時において、外筒部材７を回転調整して噴出可能状態と噴出不可状態とを切り換える際に、図５（ｂ）に示すように、リブ７ｐが凹溝８ｐに係合しないで内筒部材８の外周面に乗り上げてしまうことで、外筒部材７が空転してしまうのを抑制することができる。
【００２５】
外筒部材７に形成された凸部７ｔの外周面には、図２（ａ）に示すように、周方向に間隔を空けて、収納空間Ｓに通じる３つの開口部Ａ２が形成されている。３つの開口部Ａ２はそれぞれ、図１に示すように、調圧弁５の弁体５ａによって封止されており、調圧弁５が収納空間Ｓの内圧上昇に伴い弾性部材５ｓの付勢力（弾性力）に抗して連結部材４側に後退することで開放される。
【００２６】
なお、符号１９は、噴出器本体１に固定されるボディカバーである。また、符号１０は、噴出器本体１をポンプ２と共に容器２０の口部２１に装着するための装着筒である。なお、装着筒１０は、螺合により装着されているが、この装着手段はねじに限定されるものではない。
【００２７】
以上のように、本実施形態では、容器２０の内容物を吸引、加圧及び圧送するポンプ２を有し容器２０の口部に装着される噴出器本体１と、ポンプ２に通じる開孔Ａ１を有し噴出器本体１の先端に固定される連結部材４と、連結部材４からの内容物を噴出させる噴出孔９ａを有し連結部材４に保持されるノズル６とを備え、ノズル６は、外周壁７ａを含む外筒部材７と、外周壁７ａの径方向内側に配置される内筒部材８とを有し、外筒部材７及び内筒部材８には、中心軸線Ｃ周りの相対回転又は中心軸線Ｃに沿う相対移動を阻止する少なくとも一対の係合部（リブ７ｐ，凹溝８ｐ）が設けられており、外筒部材７における、少なくとも一対の係合部における外筒部材７側の係合部の径方向外側には、外筒部材７側の係合部が径方向外側へ変位するのを抑制する補強部（補強リブ７ｒ）が形成されるように構成した。このような構成の採用によって、外筒部材７側の係合部が径方向外側へ変位することによって一対の係合部の係合が外れて内筒部材８に乗り上げることがないので、外筒部材７と内筒部材８の組立を阻害したり、ノズル６の位置調整時に外筒部材７が空転して内筒部材８が動かないといった不具合を抑制することができる。
【００２８】
また、本実施形態では、外筒部材７は、外周壁７ａの径方向内側に配置される内周壁７ｂを更に有し、外筒部材７側の係合部（リブ７ｐ）は、内周壁７ｂの内周面に設けられており、補強部は、外周壁７ａと内周壁７ｂとを径方向に連結する補強リブ７ｒであるように構成した。このような構成の採用によって、係合部（リブ７ｐ）が径方向外側に変位するのを効果的に抑制することができる。また、外筒部材７にかかった回転力を補強リブ７ｒ及び補強リブ７ｒの直下に配置されたリブ７ｐを通じて内筒部材８に伝えることができるので、部材の捻れ等のロスを発生させることなく、外筒部材７にかかった回転力を確実に内筒部材８に伝えることができる。
【００２９】
また、本実施形態では、少なくとも一対の係合部は、外筒部材７及び内筒部材８の一方に設けられ径方向に突出するリブ７ｐと、外筒部材７及び内筒部材８の他方に設けられ径方向に凹む凹溝８ｐであるように構成した。このような構成の採用によって、一対の係合部がより確実に係合してノズル６の位置調整を行うことができる。
【００３０】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【００３１】
例えば、本実施形態では、外筒部材７側の係合部としてリブ７ｐを設け、内筒部材８側の係合部として凹溝８ｐを設けるように構成したが、この態様には限定されない。内筒部材８側にリブを設けると共に外筒部材７側に凹溝を設けるように構成してもよい。また、一対の係合部は、リブと凹溝以外の組み合わせであってもよい。例えば、外筒部材７と内筒部材８とを連動して中心軸線Ｃに沿う方向に位置調整させる場合には、外筒部材７側の係合部として環状突部を設けると共に内筒部材８側の係合部として環状凹部を設けて、両者をアンダーカッド係合させるように構成してもよい。これによって、両部材の中心軸線Ｃに沿う相対移動を抑制して、外筒部材７の中心軸線Ｃ方向の位置調整により内筒部材８の位置調整を行うことができる。
【００３２】
また、本実施形態におけるノズル６及び連結部材４以外の各構成については、従来から知られている他の様々な形態のトリガー式噴出器の構成を採用することができる。
【産業上の利用可能性】
【００３３】
本発明は、例えば、化粧水、整髪料等の化粧品、虫除け等の医薬品、消臭剤及び、美容・健康用品の分野等に係る液体噴出器として採用することができる。
【符号の説明】
【００３４】
１    噴出器本体
２    ポンプ
３    トリガー
４    連結部材
４ａ  内筒部
４ｂ  外筒部
５    調圧弁
５ａ  弁体
５ｐ１   第１の摺動部
５ｐ２  第２の摺動部
５ｓ  弾性部材
６    ノズル
７    外筒部材
７ａ  外周壁
７ｂ  内周壁
７ｃ  隔壁
７ｄ  後方筒壁
７ｅ  前方筒壁
７ｐ  リブ（係合部）
７ｒ  補強リブ（補強部）
７ｔ  凸部
８    内筒部材
８ａ  内筒部
８ｂ  外筒部
８ｃ  隔壁
８ｃ１  連通孔
８ｄ  前方筒壁
８ｅ  突出部
８ｐ  凹溝（係合部）
９    噴出部材
９ａ  噴出孔
９ｂ  スピン溝
１０  装着筒
１９  ボディカバー
２０  容器
２１  口部
１００  液体噴出器
Ａ１  開孔
Ａ２  開口部
Ｂ    逆止弁
Ｃ    中心軸線
ＣＢ    チューブ
Ｉ    インテーク
Ｐ    内部通路
Ｓ    収納空間
【図１】
2019188374.tif 000003
【図２】
2019188374.tif 000004
【図３】
2019188374.tif 000005
【図４】
2019188374.tif 000006
【図５】
2019188374.tif 000007